(57)【要約】【課題】ナローガイドをコンパクトに格納可能とする。【解決手段】立毛穀稈を刈り取りながら脱穀部（３）まで搬送して供給する刈取部（４）を備えたコンバインにおいて、刈取部（４）の未刈地側の横側部には、この未刈地側の横側部を覆うサイドカバー（２５）よりも外側方に張り出す分草作用姿勢と機体側に収納する収納姿勢とに切替可能なナローガイド（１６）を設け、該ナローガイド１６は、横方向に屈伸可能な第１リンク（１７ａ）と第２リンク（１７ｂ）からなる屈伸リンク（１７）を介して張出し・収納自在な構成とすると共に、第２リンク（１７ｂ）を第１リンク（１７ａ）よりも低い位置に設定してサイドカバー（２５）の下側から出入りする構成とする。【選択図】 図３
2010004844.tif 000002
【特許請求の範囲】
【請求項１】
立毛穀稈を刈り取りながら脱穀部（３）まで搬送して供給する刈取部（４）を備えたコンバインにおいて、刈取部（４）の未刈地側の横側部には、この未刈地側の横側部を覆うサイドカバー（２５）よりも外側方に張り出す分草作用姿勢と機体側に収納する収納姿勢とに切替可能なナローガイド（１６）を設け、該ナローガイド１６は、横方向に屈伸可能な第１リンク（１７ａ）と第２リンク（１７ｂ）からなる屈伸リンク（１７）を介して張出し・収納自在な構成とすると共に、前記第２リンク（１７ｂ）を第１リンク（１７ａ）よりも低い位置に設定してサイドカバー（２５）の下側から出入りする構成としたことを特徴とするコンバインのナローガイド。
【発明の詳細な説明】
【技術分野】
【０００１】
この発明は、未刈地側の穀稈を外側方に分草案内するコンバインのナローガイドに関する。
【背景技術】
【０００２】
従来、例えば、特許文献１には、刈取部の未刈地側横側部に、外側方へ張り出す分草作用姿勢と機体側へ収納する収納姿勢とに切替可能なナローガイドを設け、運転操作部の近くに設けられた操作レバーの操作により、ナローガイドを分草作用姿勢と収納姿勢とに切替遠隔操作できるように構成し、そして、ナローガイドは、横幅方向に屈伸可能な第１リンクと第２リンクとからなる屈伸リンクを介して張出し・収納自在とした構成のものが開示されている。
【特許文献１】特開２００６−４２６５０号公報
【発明の開示】
【発明が解決しようとする課題】
【０００３】
屈伸リンクを介してナローガイドを張出し・収納自在とするものでは、機体側の第１リンクは、ナローガイドの収納時では刈取部の横側部を覆うサイドカバー内に収めることができるが、ナローガイド側の第２リンクは、サイドカバーと干渉し、サイドカバーの外側にはみ出した状態となり、ナローガイドをサイドカバーの外側面に接近させた状態での収納が困難となる問題があった。
【０００４】
本発明の課題は、ナローガイドの収納時には、第２リンクにおいてもサイドカバーと干渉することなくサイドカバー内に収まるようにして、上記問題点を解消せんとするものである。
【課題を解決するための手段】
【０００５】
この発明は、上記課題を解決すべく次のような技術的手段を講じた。
すなわち、立毛穀稈を刈り取りながら脱穀部（３）まで搬送して供給する刈取部（４）を備えたコンバインにおいて、刈取部（４）の未刈地側の横側部には、この未刈地側の横側部を覆うサイドカバー（２５）よりも外側方に張り出す分草作用姿勢と機体側に収納する収納姿勢とに切替可能なナローガイド（１６）を設け、該ナローガイド１６は、横方向に屈伸可能な第１リンク（１７ａ）と第２リンク（１７ｂ）からなる屈伸リンク（１７）を介して張出し・収納自在な構成とすると共に、前記第２リンク（１７ｂ）を第１リンク（１７ａ）よりも低い位置に設定してサイドカバー（２５）の下側から出入りする構成としたことを特徴とするコンバインのナローガイドとする。
【０００６】
ナローガイド（１６）は、操作レバー（１８）の切替操作によって、サイドカバー（２５）よりも外側方に張り出す分草作用姿勢と機体側におけるサイドカバー（２５）側に収納する収納姿勢とに切り替えることができる。
【０００７】
ナローガイド（１６）の張り出し時には、第２リンク（１７ｂ）はサイドカバー（２５）の下側から外側方にはみ出し、ナローガイド（１６）の収納時には、第２リンク（１７ｂ）はサイドカバー（２５）の下側から内側方に入り込むことになり、ナローガイド（１６）をサイドカバー（２５）の外側面にできるだけ接近させた状態に収納させることができる。
【発明の効果】
【０００８】
本発明によれば、ナローガイド（１６）側の第２リンク（１７ｂ）は、機体側の第１リンク（１７ａ）よりも低い位置に設定しているので、サイドカバー（２５）の下側から内外に出入りさせることができ、ナローガイド（１６）収納時には、第２リンク（１７ｂ）がサイドカバー（２５）と干渉することなくサイドカバー（２５）内に入り込むので、ナローガイド（１６）をできるだけサイドカバー（２５）の外面に接近させてコンパクトに収納することができる。
【発明を実施するための最良の形態】
【０００９】
この発明の実施例を図面に基づき説明する。
図１は、コンバインの正面図を示すものであり、この走行車体１には、左右一対の走行クローラ２，２を備え、後部に搭載した脱穀部（脱穀装置）３の前方部に刈取部４を設置し，刈取部４の横側部には運転席５や前側の操作ボックス６等からなる運転操作部を備え、更に、その運転操作部の後方には脱穀粒を一時的に貯留するグレンタンクＧを装備している。前記フロント操作ボックス６の右側には、左右方向の操作で機体の進行方向を操向制御し、前後方向の操作で刈取部４を昇降制御するパワステレバー４０が設置されている。また、運転席５左側のサイド操作ボックス７上には、刈取部４及び脱穀部３への回転動力を断続操作する刈脱クラッチレバー４１、走行速を変速制御する変速レバー（ＨＳＴレバー）４２等が配置されている。
【００１０】
刈取部４は、立毛する穀稈を左右に分草する分草体８…と、分草後の穀稈を引き起す穀稈引起し装置９と、引起し後の穀稈を刈り取る刈取装置１０と、刈取後の穀稈を掻込搬送する掻込搬送装置１１と、掻込搬送後の穀稈を揚上搬送して脱穀装置３のフィードチエン３ａに受け継がせる穀稈搬送装置１２等からなり、車体に対し上下動可能な刈取縦フレーム１３を介して昇降する構成としている。
【００１１】
各分草体８…は、刈取装置１０側から前方に突設する分草支持フレーム１５の先端に取り付けられている。
刈取部４の未刈地側横側部には、外側方に張り出す分草作用姿勢と機体側に収納する収納姿勢とに切替可能なナローガイド１６が設けられている。このナローガイド１６は、前端部が未刈地側（左側）の分草体８の背部位置で分草支持フレーム１５の前端部に回動自在に枢支され、後端が走行フレーム側に前後方向スライド可能に支持されており、そして、第１リンク１７ａと第２リンク１７ｂからなる横幅方向に屈伸（伸縮）可能な屈伸リンク１７を介して張出し・収納自在に連係され、運転席横側部のサイド操作ボックス７近くに設けられた操作レバー１８によって遠隔操作できるように連動構成されている。左側（未刈地側）の分草支持フレーム１５の基端側で引起し縦伝動パイプ２６の下端側近くにブラケット１９が取り付けられ、ブラケット１９には上下方向に立設する回動軸２０が軸支され、また、この回動軸２０には天秤アーム２１と前記屈伸リンク１７の第１リンク１７ａが一体に回動するよう固定されている。
【００１２】
そして、前記第２リンク１７ｂは第１リンク１７ａに対する対地高さよりも低くなるように段差Ｈを設けて、刈取部の横外側部を覆うサイドカバー２５の下側から内外へ容易に出入りできるように構成されている。なお、第２リンク１７ｂは途中部から下方に折り曲げてナローガイド１６に対する連結部１７ｃがサイドカバー２５の下縁より下方に位置するものであれば足りる。天秤アーム２１の両端には２本の操作ワイヤ２２ａ，２２ｂの一端側が連結され、該操作ワイヤ２２ａ，２２ｂの他端側は前記操作レバー１８の操作で揺動する揺動アーム２３に連動連結されている。
【００１３】
２本の操作ワイヤ２２ａ，２２ｂは、引起し縦伝動パイプ２６、各引起し装置上部に横架する引起し横伝動ケース２７、該引起し横伝動ケース２７の中間部から後方に延出して刈取縦フレーム１３の基部側に連結保持する引起し支持フレーム２８、刈取穀稈搬送部１２の搬送経路の上方を覆う前防塵カバー３０の裏側に沿わせて配策し、穀稈搬送装置１２における穀稈搬送経路の上部側に設けられた刈取穀稈の穂部側を搬送経路に沿って案内する穂先案内板１４よりも上方に設けられる。引起し横伝動ケース２７に沿わせる操作ワイヤ２２は引起しアッパーカバー２９によって被覆する構成としている。
【００１４】
操作レバー１８は、運転席５と後防塵カバー３１との間に配置され、左右方向の横軸２４を回動支点とする前後方向の操作で揺動アーム２３を揺動変位させて操作ワイヤ２２ａ，２２ｂを引き戻し操作する構成としている。横軸２４は前防塵カバー３０を支持するアーチ状のカバー支持フレーム３２に支持ステー３３を介して軸受保持させた構成としている。
【００１５】
なお、前記後防塵カバー３１は前防塵カバー３０の上側に重合し、前後方向に開閉スライド自在に構成されている。
しかして、操作レバー１８を後方に回動操作すると、天秤アーム２１の一端側に接続されたワイヤ２２ａが操作レバー１８側に引っ張られると同時に、天秤アーム２１の他端側に接続されたワイヤ２２ｂが反操作レバー側に引き戻される。これにより、天秤アーム２１が時計方向に揺動し、回動軸２０と一体の第１リンク１７ａが外方に向けて回動する。かかる回動により、屈折状態の屈伸リンク１７が直線状に伸び切ってナローガイド１６を外方に押し出し、ナローガイドが外方に張り出して分草作用姿勢に切り替えられる。また、操作レバー１８を前方に回動操作すると、ワイヤ２２ｂが操作レバー１８側に引っ張られると同時に、ワイヤ２２ａが反操作レバー側に引き戻されることにより、天秤アーム２１が反時計方向に揺動し、回動軸２０が同方向に回動して、これと一体の第１リンク１７ａが内方に向けて回動する。これにより、直線状態にあるリンク１７ａ，１７ｂが縮む方向に折れ曲がりナローガイド１６を内方に引き込み、ナローガイドが内方へ引退して収納姿勢に切り替えられる。なお、この時の第２リンク１７ｂは、サイドカバー２５の下側を内外に潜り抜けることになり、収納時のナローガイドはサイドカバーの外面に接近して収納される。
【００１６】
刈取部の横外側部を覆うサイドカバー２５は、サイドカバー支持部材４３によって支持され、ブラケット１９、回動軸２０、天秤アーム２１、ワイヤ保持具３４等からなるナローガイドの作動機構部Ａを支持する作動機構支持部材４４は、前記サイドカバー支持部材４３に対してボルト・ナット４５などで着脱自在に連結保持させている。天秤アーム２１の両端にはワイヤ２２ａ，２２ｂを取り付けるワイヤ取付ピン２１ａ，２１ｂを突設している。ワイヤ保持具３４にはワイヤ保持溝３４ａ，３４ｂが設けられワイヤ２２ａ，２２ｂを係合保持させている。ワイヤ２２ａ，２２ｂは引起し伝動パイプ２６近くから上方に向けて配策し上下方向のパイプ２６に沿わせるように構成している。ナローガイドの作動機構部Ａは、左側の引起し伝動パイプ２６とサイドカバー２５との間に配置して、穀稈の搬送作用に支障をきたさないようにし、しかも，側面視でサイドカバー２５内に配置することによって安全性の向上並びにわら屑の溜まりを防止するようにしている。
【００１７】
また、図７に示す実施例では、ナローガイドの操作レバー１８は、運転席横側部のサイド操作ボックス７近くに配置すると共に、前記刈脱クラッチレバー４１の近くでこれより外側（刈取部側）に並設した構成としている。これにより、刈脱クラッチレバー４１との操作連動性が向上することになり、また、この操作レバー１８をサイド操作ボックス７の左端と後防塵カバー３１の右側面との間に配置することによって取扱性の向上が図れる。
【００１８】
また、図７に示すように、操作レバー１８の位置とは防塵カバー３１を挟む左側位置に補助操作レバー３５を設けることによって運転席５以外の場所からもナローガイドの張出し収納操作が容易にできる。メイン操作レバー１８と補助操作レバー３５とは、図８に示すように、連動軸３６を介して一体回動する構成であり、いづれのレバ−を操作してもナローガイドは同方向に作動するようになっている。
【００１９】
上記とは別の構成例として、補助操作レバー３５を引起し横伝動ケース２７の中間部位に配置（図示省略）し、運転席近くのメイン操作レバー１８に連動連結して連動操作可能に構成することもできる。また、メイン操作レバー１８を引起し横伝動ケース２７の中間部位に配置し、補助操作レバー３５は引起し横伝動ケース２７の左端側に配置して両者を互いに連動構成するものであっても良い。
【００２０】
なお、図３に示すように、エンジンから入力される刈取入力軸を内装軸架した入力伝動ケース４６を車体側から立設する懸架台上に架設し、入力伝動ケースの中間部位から前方下方に延びる刈取縦フレーム１３の前端部から左右横方向に延びる刈取伝動ケース４７には、刈取部４の刈取装置１０や掻込搬送装置１１等を架設して伝動可能に設け、この刈取部全体が前記入力伝動ケース４６の軸芯を回動支点として上下に昇降する構成としている。また、刈取伝動ケース４７の左端側から引起し伝動パイプ２６内の引起し伝動軸を駆動する構成としている。
【図面の簡単な説明】
【００２１】
【図１】コンバインの正面図
【図２】同上要部の平面図
【図３】刈取部の要部の側面図
【図４】同上要部の背断面図
【図５】ナローガイドの作動状態を示す平面図
【図６】同上要部の正面図
【図７】コンバイン要部の平面図
【図８】メイン操作レバーと補助操作レバーとの連動構成を示す斜視図
【符号の説明】
【００２２】
３    脱穀部
４    刈取部
１６    ナローガイド
１８    操作レバー                                        
１７    屈伸リンク
１７ａ  第１リンク
１７ｂ  第２リンク
２５    サイドカバー
【図１】
2010004844.tif 000003
【図２】
2010004844.tif 000004
【図３】
2010004844.tif 000005
【図４】
2010004844.tif 000006
【図５】
2010004844.tif 000007
【図６】
2010004844.tif 000008
【図７】
2010004844.tif 000009
【図８】
2010004844.tif 000010